(57)【特許請求の範囲】
【請求項１】
非常ボタン部の誤動作を防止するために、上記非常ボタン部を覆う閉位置に設けられたカバーを備えたエレベータの非常呼びボタン装置であって、
上記非常ボタン部よりも上部に設けられた軸受と、上記軸受に支持されるとともに上記カバーの上部を取り付け可能なカバー取付板部を含む回転部本体と、を有し、上記カバーを持ち上げるような外力が利用者から上記カバーに加えられたとき、上記軸受を回転軸として上記カバーを第１回転方向に回転可能とする第１回転機構部、及び
上記カバー取付板部に対して上記カバーの上部を取り付ける際に上記カバーの上部と上記カバー取付板部との間の取付位置に設けられ、上記カバーを上記カバーの幅方向にスライドさせるような外力が上記利用者から上記カバーに加えられたとき、上記カバーの上部の上記取付位置を中心として上記カバーを上記カバー取付板部に沿った第２回転方向に回転可能とする第２回転機構部
を備えている
エレベータの非常呼びボタン装置。
【請求項２】
上記第１回転機構部による上記カバーの上記第１回転方向の可動域は、上記閉位置から、上記カバーの上部が上記軸受に干渉する干渉位置までになっており、
上記干渉位置は、上記カバーが自重により上記閉位置へ戻ることが可能な位置に設定されている
請求項１に記載のエレベータの非常呼びボタン装置。
【発明の詳細な説明】
【技術分野】
【０００１】
この発明は、誤操作防止機能を備えたエレベータの非常呼びボタン装置に関するものである。
【背景技術】
【０００２】
従来、エレベータの非常呼びボタンの乱用、誤操作を防止するために、非常呼びボタンを覆うカバーを設置する場合がある。このようなカバーには、片側が軸受台に取り付けられたボタン全面を覆うカバーを持ち上げることで上下に回動させる非常用ボタン装置が提案されている（例えば、特許文献１参照）。その他にも、カバー上端部を中心として左右に回転させることで一時的にカバーを排除できる非常用ボタン装置が提案されている（例えば、特許文献２参照）。
【先行技術文献】
【特許文献】
【０００３】
【特許文献１】特開平７−２３２８６９号公報
【特許文献２】特開２０１１−６２２４号公報
【発明の概要】
【発明が解決しようとする課題】
【０００４】
しかしながら、従来技術には、以下のような課題がある。
特許文献１に示されている非常用ボタン装置では、特許文献２に示されているような左右に回転させる力に対する耐久力が弱いという問題がある。また、特許文献２に示されている非常用ボタン装置では、特許文献１に示されているような上下に回動させる力に対する耐久力が弱いという問題がある。即ち、特許文献１及び特許文献２に記載されているカバーは、一定方向へしか回転できない。
【０００５】
ここで、非常用ボタン装置が、低い位置に設置されていた場合、利用者の持ち物（例えば、鞄の紐）が引っ掛かることがある。このとき、カバーが一定方向にしか回転できない構造において、利用者が、紐を無理やり引っ張った場合、引っ張る方向によっては、紐がカバーから外れず、カバーが破損する恐れがある。
【０００６】
この発明は、上記のような課題を解決するためになされたものであり、カバーに引っ掛かった利用者の持ち物を容易にカバーから外すことができ、カバーの破損のリスクを軽減することができるエレベータの非常呼びボタン装置を得ることを目的とする。
【課題を解決するための手段】
【０００７】
この発明によるエレベータの非常呼びボタン装置は、非常ボタン部の誤動作を防止するために、非常ボタン部を覆う閉位置に設けられたカバーを備えたエレベータの非常呼びボタン装置であって、非常ボタン部よりも上部に設けられた軸受と、軸受に支持されるとともにカバーの上部を取り付け可能なカバー取付板部を含む回転部本体と、を有し、カバーを持ち上げるような外力が利用者からカバーに加えられたとき、軸受を回転軸としてカバーを第１回転方向に回転可能とする第１回転機構部、及びカバー取付板部に対してカバーの上部を取り付ける際にカバーの上部とカバー取付板部との間の取付位置に設けられ、カバーをカバーの幅方向にスライドさせるような外力が利用者からカバーに加えられたとき、カバーの上部の取付位置を中心としてカバーをカバー取付板部に沿った第２回転方向に回転可能とする第２回転機構部を備えている。
【発明の効果】
【０００８】
この発明によれば、カバーには、カバーを持ち上げるような外力によりカバーを動作させる第１回転機構部と、カバーの幅方向にスライドさせるような外力によりカバーを動作させる第２回転機構部とを備えている。これにより、カバーは、複数方向への回転が可能になる。従って、カバーに引っ掛かった利用者の持ち物を容易にカバーから外すことができ、カバーの破損のリスクを軽減することができるエレベータの非常呼びボタン装置を得ることができる。
【図面の簡単な説明】
【０００９】
【図１】本発明の実施の形態１における非常呼びボタン装置を備えたエレベータのかご内乗場を示す全体図である。
【図２】図１の非常呼びボタン装置を示す拡大図である。
【図３】図２の非常呼びボタン装置を示す側面図である。
【図４】図２の非常呼びボタンのＩＶ−ＩＶ線に沿った断面図である。
【図５】上下回転機構部を用いてカバーを閉位置から開位置へ変位させた状態を示す正面図である。
【図６】図５の非常呼びボタン装置を示す側面図である。
【図７】左右回転機構部を用いてカバーを閉位置から開位置へ変位させている状態を示す正面図である。
【発明を実施するための形態】
【００１０】
実施の形態１．
図１は、本発明の実施の形態１における非常呼びボタン装置を備えたエレベータのかご内乗場を示す全体図である。図１において、エレベータのかご内乗場１には、開閉扉２が設けられている。また、かご内乗場１の壁面には、呼び登録可能な複数（この例では、２つ）の操作盤３ａ、３ｂが設置されている。ここで、操作盤３ａ、３ｂは、かご内に設置されたかご内操作盤のことを指す。
【００１１】
この例では、操作盤３ａは、かご内の開閉扉２が設けられている面で、かつ、開閉扉２の横に設置されている。また、操作盤３ｂは、かご内の開閉扉２が設けられている面とは異なる壁に設置されている。操作盤３ａ、３ｂには、かごの運行状況を表示する表示板４、利用者が呼び登録を行う呼び登録部５、及びエレベータの異常時に操作される非常呼びボタン装置１０がそれぞれ設けられている。
【００１２】
図２は、図１の非常呼びボタン装置１０を示す拡大図である。また、図３は、図２の非常呼びボタン装置１０を示す側面図である。さらに、図４は、図２の非常呼びボタン１０のＩＶ−ＩＶ線に沿った断面図である。以下、図２〜図４を用いて非常呼びボタン１０の構成について説明する。
【００１３】
図２〜図４に示すように、非常呼びボタン装置１０は、非常ボタン部２０と、非常ボタン部２０の乱用、誤操作を防止するカバー３０と、カバー３０を閉状態と開状態との間で変位可能にする開閉機構部４０と、を有している。
【００１４】
非常ボタン部２０は、操作盤３ａ、３ｂに設けられたボタン用穴に挿入されている。ここで、操作盤３ａ、３ｂに設けられたボタン用穴は、非常ボタン部２０の大きさに合わせて空けられている。
【００１５】
また、非常ボタン部２０は、一部が、かご内乗場１に面した操作盤３ａ、３ｂの表面から突出した非常ボタン本体２１と、非常ボタン本体２１を支持するボタン枠２２と、を有している。
【００１６】
非常ボタン本体２１の一部は、かご内乗場１に露出するように設けられている。これにより、利用者は、かご内乗場１に露出した非常ボタン本体２１を、指で押すことで、エレベータの異常を外部に通知することが可能になっている。
【００１７】
ボタン枠２２は、かご内乗場１に面していない操作盤３ａ、３ｂの裏面側に設けられた固定枠部２２ａと、固定枠部２２ａからかご内乗場１側に突出した案内枠部２２ｂとを有している。
【００１８】
案内枠部２２ｂは、非常ボタン本体２１が、かご内乗場１に露出した部分の周囲を囲むように固定枠部２２ａから突出している。即ち、案内枠部２２ｂの一部は、操作盤３ａ、３ｂの表面から突出している。これにより、非常ボタン本体２１は、利用者によって押されたとき、案内枠部２２ｂに沿ってかご内乗場１から離れる方向に案内される。
【００１９】
また、非常ボタン本体２１が、かご内乗場１に突出する方向（図４の矢印Ａ方向）について、案内枠部２２ｂのかご内乗場１側の端部の位置は、非常ボタン本体２１のかご内乗場１側の端部の位置よりもかご内乗場１側に配置されている。これにより、利用者が非常呼びボタン装置１０にぶつかったときに非常ボタン本体２１が押されてしまうなどの誤操作の防止を図っている。
【００２０】
さらに確実に誤操作の防止を図るために、非常ボタン部２０よりもかご内乗場１側には、カバー３０が設けられている。カバー３０には、非常ボタン部２０の全面を覆うことが可能な形状の板が用いられている。
【００２１】
エレベータに異常が発生していない通常時、カバー３０が非常ボタン部２０の全面を覆っている状態である閉状態になっているので、利用者は、非常ボタン本体２１を押すことができない。そこで、非常時に、利用者が非常ボタン本体２１を押すためには、開閉機構部４０により非常ボタン本体２１の操作が可能になる状態である開状態までカバー３０を移動させる必要がある。
【００２２】
開閉機構部４０は、かごの高さ方向（図１〜図４の矢印Ｂ方向）について、カバー３０の上部に設けられている。また、開閉機構部４０は、カバー３０を第１回転方向に回転可能にする上下回転機構部（第１回転機構部）５０と、カバー３０を第２回転方向に回転可能にする左右回転機構部（第２回転機構部）６０と、を有している。
【００２３】
上下回転機構部５０は、カバー３０を持ち上げるような外力を加えることで、カバー３０を、閉状態に対応する閉位置から開状態に対応する開位置へ変位可能にしている。即ち、第１回転方向とは、カバー３０を持ち上げるような外力が加えられたとき、カバー３０が、閉位置から開位置へ向かう方向である。また、上下回転機構部５０は、操作盤３ａ、３ｂに取り付けられた軸受５１と、軸受５１に支持された回転部本体５２とを有している。
【００２４】
軸受５１は、互いに距離を置いて配置された一対の軸受本体５１ａ、５１ｂと、軸受本体５１ａ、５１ｂのそれぞれに設けられ、回転部本体５２の回転軸になる一対のスタッド５１０と、を有している。スタッド５１０は、軸受本体５１ａ、５１ｂが互いに対向している面からそれぞれ突出して設けられている。
【００２５】
軸受本体５１ａ、５１ｂの軸線方向（図２の矢印Ｃ方向）について、最も離れた軸受本体５１ａ、５１ｂの端部間の距離は、案内枠部２２１の直径よりも長くなるように配置されている。また、軸受本体５１ａ、５１ｂは、カバー３０が非常ボタン部２０を覆うことができるような位置、即ち、非常ボタン部２０よりもかご内乗場１側にスタッド５１０の位置が来るように操作盤３ａ、３ｂに取り付けられている。さらに、軸受本体５１ａ、５１ｂは、かごの高さ方向について、非常ボタン部２０よりも上方に配置されている。
【００２６】
回転部本体５２は、スタッド５１０を中心に回転自在に設けられた回転体５２１と、回転体５２１に設けられ、回転体５２１の接線に沿って延びたカバー取付板部５２２と、を有している。
【００２７】
回転体５２１は、両端部にスタッド５１０と嵌め合い可能な嵌合孔を有する円柱状になっており、嵌合孔とスタッド５１０とを嵌め合わせることで、回転体５２１は、スタッド５１０に回転可能に取り付けられている。回転体５２１の長さは、軸受本体５１ａ、５１ｂ間の対向面同士の距離よりも若干短くなっている。ここで、若干とは、回転時、回転体５２１が、軸受本体５１ａ、５１ｂに回転可能なクリアランスを有する程度の大きさを指している。
【００２８】
カバー取付板部５２２は、通常時、回転体５２１の操作盤３ａ、３ｂから離れた端部からかご２の下方に沿って延びた板になっている。この時、カバー取付板部５２２は、かごの高さ方向について、カバー取付板部５２２の下端部が、非常ボタン部２０の上端部にかからない長さになっている。
【００２９】
また、カバー取付板部５２２には、カバー３０を取り付けることが可能な取付孔５２３が空けられている。取付孔５２３に対応して、カバー３０にも取付孔３１が空けられている。カバー３０の取付孔３１は、カバー３０の上部に設けられている。
【００３０】
また、取付孔３１は、カバー取付板部５２２にカバー３０を取り付けたとき、かごの高さ方向について、カバー３０の上端部の位置が、スタッド５１０の位置よりも上方になる位置に開けられている。これは、カバー３０を持ち上げて閉位置から開位置へ変位させるとき、カバー３０の上端部を軸受５１と干渉させて、カバー３０が所望の可動域を超えないようにするためである。所望の可動域については、後述する。
【００３１】
カバー３０は、カバー取付板部５２２に、左右回転機構部６０を介して取り付けられている。左右回転機構部６０には、カバー３０の取付孔３１と、カバー取付板部５２２の取付孔５２３とに通された棒状部材（例えば、ボルト、ねじ）が用いられている。即ち、左右回転機構部６０は、カバー取付板部５２２にカバー３０を取り付ける取付位置に設けられている。ここで、左右回転機構部６０は、カバー３０が、カバー取付板部５２２上に沿ってスライド移動可能になるようにカバー３０とカバー取付板部５２２とを取り付けている。
【００３２】
これにより、カバー３０は、利用者によりカバー３０の幅方向（軸受本体５１ａ、５１ｂの軸線方向と一致する図２の矢印Ｃ方向）にスライドさせるような外力を加えられることで、カバー３０の上部の取付孔３１を中心として左右に回転することが可能である。ここで、左右とは、利用者が操作盤３ａ、３ｂを正面から見たときの左右方向であり、後述する図７の矢印Ｅ方向に相当する。
【００３３】
従って、カバー３０は、左右回転機構部６０により、カバー３０の上部に設けられた取付孔３１を中心として左右に回転されることでカバー３０を、閉状態に対応する閉位置から開状態に対応する閉位置へ変位可能になっている。即ち、第２回転方向とは、カバー３０の幅方向にスライドさせるような外力が加えられたとき、カバー３０が、閉位置から開位置へ向かう方向である。
【００３４】
次に、非常呼びボタン装置１０の動作について説明する。図５は、上下回転機構部５０を用いてカバー３０を閉位置から開位置へ変位させた状態を示す正面図である。また、図６は、図５の非常呼びボタン装置１０を示す側面図である。
【００３５】
利用者は、カバー３０を、第１回転方向に相当する図６の矢印Ｄ方向に持ち上げることで、図５及び図６に示すように非常ボタン本体２１を押すことが可能になる。このとき、図６に示すように、カバー３０の上端部は、軸受５１（図示していないが、実際は、軸受本体５１ａ、５１ｂ）に干渉する。以下、この位置を干渉位置と称す。
【００３６】
従って、上下回転機構部５０によりカバー３０が回転可能な可動域は、閉位置から干渉位置までになっている。この例では、カバー３０の閉位置を０度とすると、干渉位置は９０度になっており、９０度よりも大きい角度以上は持ち上げられないようになっている。これにより、干渉位置まで持ち上げられたカバー３０は、自重により閉位置に戻るようになっている。即ち、上述した所望の可動域とは、カバー３０が自重により開位置から閉位置に戻ることができる範囲である。
【００３７】
なお、この例では、カバー３０を９０度よりも大きい角度以上持ち上げることはできないが、カバー３０が自重により開位置から閉位置に戻ることができる角度であれば９０度よりも大きい角度以上でもよい。
【００３８】
図７は、左右回転機構部６０を用いてカバー３０を閉位置から開位置へ変位させている状態を示す正面図である。図７に示すように、利用者は、カバー３０を、第２回転方向に相当する図７の矢印Ｅ方向に回転させることで、非常ボタン本体２１を押すことが可能になる。
【００３９】
このとき、回転中心となる左右回転機構部６０の位置は、カバー３０の上部に設けられているので、カバー３０が回転された開位置に関わらず、カバー３０は、自重により開位置から閉位置に戻るようになっている。
【００４０】
なお、上記動作では、上下回転機構部５０及び左右回転機構部６０の個々の動作について説明したが、カバー３０は、上下回転機構部５０及び左右回転機構部６０の動作を複合することで、複数方向への動作が可能になっている。即ち、カバー３０は、持ち上げられながらカバー取付板部５２２に沿って回転可能になっている。
【００４１】
このような実施の形態１によるエレベータの非常呼びボタン装置では、利用者が、非常ボタン部を覆うカバーに、持ち上げるような外力を加えたとき、カバーを第１回転方向へ回転可能にした上下回転機構部を有している。これに加えて、エレベータの非常呼びボタン装置では、利用者が、非常ボタン部を覆うカバーに、カバーの幅方向にスライドさせるような外力を加えたとき、カバーを第２回転方向へ回転可能にした左右回転機構部６０を有している。
【００４２】
このような構成を備えることで、利用者の持ち物、特に鞄の紐が、カバーに引っ掛かったときでも、上下・左右を組み合わせた複数方向にカバーを動かすことができる。従って、利用者が、カバーに引っ掛かった持ち物を無理やり引っ張ったとしても、容易に持ち物をカバーから外すことができる。この結果、カバーの破損のリスクを軽減することができるという効果を得ることができる。
【００４３】
また、非常時において、従来のように、一定方向にしか回転できないカバーでは、利用者が、即座にカバーの外し方が判断できず、非常呼びボタン装置の操作性が悪いという問題があった。これに対して、本発明のエレベータの非常呼びボタン装置は、カバーが複数の方向に回転可能な構成を備えている。従って、非常ボタンの乱用、誤操作の防止と、操作性の向上を両立させることができ、利便性の向上につなげることができる。この結果、より早くエレベータの異常を外部に通知することができるという効果を得ることができる。
【００４４】
また、上下回転機構部によるカバーの可動域は、閉位置からカバーの自重により必ず閉位置に戻ることができる干渉位置までに設定されている。さらに、左右回転機構部は、カバーの上部に設けられており、カバーの開位置に関わらず、自重により必ず閉位置に戻ることができる。これにより、悪戯によりカバーが開位置に移動された場合でも、すぐに閉位置に戻るので、他の利用者による誤操作を防止することができる。
【００４５】
なお、本実施の形態１では、非常呼びボタン装置１０を操作盤３ａ、３ｂと一体で構成しているが、非常呼びボタン装置１０を操作盤３ａ、３ｂと別体で設けた後、非常呼びボタン装置１０を操作盤３ａ、３ｂに取り付けてもよい。このとき、非常呼びボタン装置１０は、非常ボタン部２０と、カバー３０と、開閉機構部４０とが取り付けられた呼び装置固定板を、操作盤３ａ、３ｂに固定具で取り付けている。
【００４６】
また、本実施の形態１では、かご内乗場１に操作盤３を複数設けているが、操作盤３は、１つであってもよい。
【００４７】
また、本実施の形態１では、カバー３０が、非常ボタン部２０の全面を覆うことが可能になっているが、カバー３０は、非常ボタン部２０の誤操作を防止可能な範囲を覆っていればよく、必ずしも、全面を覆っていなくてもよい。
【符号の説明】
【００４８】
１  かご内乗場、１０  非常呼びボタン装置、２０  非常ボタン部、３０  カバー、５０  上下回転機構部（第１回転機構部）、５１  軸受、５２  回転部本体、６０  左右回転機構部（第２回転機構部）、５２２  カバー取付板部。
【図１】
0006305257.tif 000002
【図２】
0006305257.tif 000003
【図３】
0006305257.tif 000004
【図４】
0006305257.tif 000005
【図５】
0006305257.tif 000006
【図６】
0006305257.tif 000007
【図７】
0006305257.tif 000008